(57)【特許請求の範囲】
【請求項１】
地表面を開削した状態で掘進し、その開削部に地上から新設管を吊りおろして敷設し、その新設管の表面を土砂で埋設する工法に使用するオープンシールド掘進機において、
この掘進機の先端には、
その両側に、掘進方向と直交するピンを介して先行板を取り付け、
この先行板は、ピンを中心に回転して掘進機の機体より前方に位置し得るように構成した、
オープンシールド掘進機の構造。
【請求項２】
先行板は、
掘進機から直立させた支柱を介して引き上げ力を与え、
ピンを中心に回転するように構成した、
請求項１記載のオープンシールド掘進機の構造。
【発明の詳細な説明】
【技術分野】
【０００１】
本発明は、オープンシールド掘進機の構造に関するものである。
【背景技術】
【０００２】
周囲の地山、あるいは盛土に反力をとって前進するオープンシールド掘進機は、特に文献を挙げるまでもなく広く利用されている。
【特許文献１】特開２００４−１８３４４９
【発明の開示】
【発明が解決しようとする課題】
【０００３】
道路の下に数十年前に埋設した下水管や水道管、配電管が古くなって劣化したり、あるいは容量が不足するようになった場合に、これを新設管に交換する必要が生じる。
このような交換作業に、従来のオープンシールド掘進機が利用されているが、その場合に、次のような問題点がある。
なお、この明細書において「新設管」などという場合の「管」とは断面が円形のパイプのみを指すものではなく、断面が矩形のヒューム函など、広く中空体のコンクリート製、鋼製、その他の公知の構造物を意味するものである。
＜イ＞  まず、図３に示すように、オープンシールド掘進機ａの前方の路上に掘削機やコンクリート破砕機ｂを位置させる。そして露出させた既設管ｃを破砕して分割して撤去する。撤去した後の地山にオープンシールド掘進機ａを前進させて、その後方に新設管ｄを吊り降ろして設置する作業を行う。その場合に既設管ｃの破砕は、オープンシールド掘進機ａが前進するよりも先行して行う必要がある。
＜ロ＞  オープンシールド掘進機ａは地山の崩壊を阻止して掘削路を形成する装置であるが、オープンシールド掘進機ａの掘進に先だって既設管ｃの掘り出しと破砕を行う場合には、その先行した掘り出し部分は、まだオープンシールド掘進機ａによって崩壊を阻止する状態に到っていない。
＜ハ＞  その結果、既設管ｃの破砕をあまり先行させると、オープンシールド掘進機ａによる崩壊の阻止範囲の外部になってしまう。その結果、オープンシールド掘進機ａが到達する前に、破砕部分では周囲の土砂が崩壊したり、あるいは接近した建物が傾いてしまうという危険性がある。
＜ニ＞  それならば、既設管ｃの破砕位置の崩壊阻止のために、オープンシールド掘進機ａのフロント側のブレードａ１を先の方まで長く延長しておけばよいとも考えられる。しかしブレードａ１を長く延長した構成を採用すると、オープンシールド掘進機ａの全長が長くなるから、小さい半径で曲がる場合に対応することができない。
＜ホ＞  また、ブレードａ１を長いものにしておくと、地山に圧入した場合に内側に曲がりやすく、正確な直線方向への圧入が困難である。その上に、もし両側のブレードａ１が内側へ曲がって接近してしまうと、前面の地中にクサビを打ち込んだ状態となり、掘進機ａはそれ以降、掘進できなくなってしまう。
【課題を解決するための手段】
【０００４】
上記のような従来の装置の課題を解決した本発明のオープンシールド掘進機の構造は、地表面を開削した状態で掘進し、その開削部に地上から新設管を吊りおろして敷設し、その新設管の表面を土砂で埋設する工法に使用するオープンシールド掘進機において、この掘進機の先端には、その両側に、掘進方向と直交するピンを介して先行板を取り付け、この先行板は、ピンを中心に回転して掘進機の機体より前方に位置し得るように構成したオープンシールド掘進機の構造を特徴としたものである。
【発明の効果】
【０００５】
本発明のオープンシールド掘進機の構造は以上説明したようになるから次のような効果を得ることができる。
＜イ＞  古い既設管を破砕しながら、新設管を埋設して行く場合に、安全な状態で十分に先行して古い既設管の埋設部分を掘削し、破砕してゆくことが可能である。
＜ロ＞  簡単な構造によって、十分に先行して既設管を破砕し、効率よく新設管を埋設することができる。
＜ハ＞  小さい曲率の曲線も容易に掘進し通過することができる。
＜ニ＞  オープンシールド掘進機の前進が困難になるような事故が発生することがない。
【発明を実施するための最良の形態】
【０００６】
以下図面を参照しながら本発明のオープンシールド掘進機の構造の実施例を説明する。
【実施例】
【０００７】
＜１＞基本となる掘進機。
本発明のオープンシールド掘進機１は、公知の各種の開削タイプのシールド掘進機を基本の構造とするものである。
すなわち、ここでいうオープンシールド掘進機１とは、地表面を開削した状態で掘進し、その開削部に地上から掘削溝内に直接に新設管４を吊り降ろして敷設し、その新設管４の表面を土砂で埋設する構成のシールド掘進機であり、公知の各種のシールド掘進機を採用することができる。
このオープンシールド掘進機１の掘進方法は、二つに分けた枠体の間をジャッキで連結し、そのジャッキの伸縮で掘進するタイプ、あるいは複数本のブレードに分割して少数本のブレードを、他のブレードの摩擦を反力にとって地中に圧入するタイプ、あるいは新設管の周囲に投入した埋設土砂に反力を取って掘進するタイプなど、公知の掘進原理の掘進機に利用できる。
【０００８】
＜２＞先行板２の取り付け。
図１，３に示すように、オープンシールド掘進機１の先端における上部の両側には、ブレードと平行に配置した先行板２，２の右端部を回転可能に取りつける。
オープンシールド掘進機１の掘進方向と直交する方向に配置したピン２１，２１を介して該掘進機１のブレード先端に取り付けた先行板２，２は、ピン２１を中心に図１から図２に示すようにオープンシールド掘進機１の前進方向の両側の地中に食い込ませたり、各ピン２１を中心に図２から図１に示すように先行板２，２を地中から引き抜くことが可能である。
先行板２，２は、既設管３の両側で簡易土留め板として機能する略扇形を呈する補強した鋼製の板である。
そして先行板２，２は、各ピン２１を中心に回転可能である。
その結果、先行板２，２をオープンシールド掘進機１の前方（図１の反時計回り方向）に回転させた場合には、先行板２，２は該掘進機１の機体より前方に位置することになる。
また先行板２，２を掘進機１側（図２の時計回り方向）に回転させた場合には、ピン２１の取りつけ位置よりも機体側に位置することになる。
【０００９】
＜３＞回転を与える機構。
オープンシールド掘進機１の掘進方向と直交する方向に配置したピン２１を中心に各先行板２を回転させるために、例えば掘進機１の機体から支柱２２を直立させる。
そしてこの支柱２２と、各先行板２の一端との間をワイヤー２３で連結し、ワイヤー２３の中間に手動、あるいは電動のジャッキ、ウインチなどの公知の装置を介在させる。
あるいはワイヤー２３をモーターで巻き取るような構成を採用することもできる。
ワイヤー２３と各先行板２との取りつけ点は、ピン２１の位置とはできるだけ離れた位置に設定する。
その状態でジャッキやモーターを駆動すれば、ワイヤー２３を巻き取って、下がっていた状態の先行板２，２を徐々に引き上げることができる。
あるいは引き上げ状態の先行板２を徐々にオープンシールド掘進機１の前方の地表面に接近させて接地させることができる。
接地した先行板２，２は、自重あるいは掘削機などの圧力によって地中に食い込ませることができる。
【００１０】
＜４＞作動の説明。
次に既設管３の破砕と、新設管４の敷設、すなわち既設管３の交換作業について説明する。
【００１１】
＜５＞先行板２の圧入。
本発明のオープンシールド掘進機１には、前記したようにその先端における上部の両側に先行板２，２が回転可能に設けてある。
この先行板２，２を、掘進方向と直交する方向に配置したピン２１を中心に、機体の前方の地表面に向けて回転させる。
すると各先行板２は、その自重によってオープンシールド掘進機１の前方の地表面に接地する。
さらにオープンシールド掘進機１の前方に配置した掘削機５のバケットなどの加圧力を利用して先行板２，２を地中に食いこます。
オープンシールド掘進機１の両側に配置した先行板２，２を、掘進機１の前進方向の両側の地中に食い込ませることによって、既設管３の両側には簡易な土留め板が配置されたことになる。
【００１２】
＜６＞既設管３の露出と破砕。
オープンシールド掘進機１の掘進方向の前方に、ユンボーのような掘削機５、およびコンクリート破砕機６を位置させる。
そして数十年前に埋設した既設管３を、掘削機５によって周囲を掘削することによって露出させ、破砕機６によって小割りに破砕してゆく。
その場合に、前記したように既設管３の両側にはすでに簡易な先行板２，２が地中に食い込んで配置してある。
そのために既設管３の掘削を行っている部分には、オープンシールド掘進機１による土砂の崩壊阻止の機能が働いていないが、先行板２による簡易な土留め保護がなされている。
その結果、既設管３の周囲の土砂の崩壊を阻止することができる。
このように単なる鋼板である先行板２，２によって簡易な土留め保護ができるには理由がある。
すなわちまず、先行板２が簡易な土留め板として機能する時間が、オープンシールド掘進機１の掘進が到達するまでの短時間だけであるからである。
次には、先行板２，２の全範囲にわたって掘削する必要はなく、先行板２，２の先端部分や周囲の土砂を完全に掘削せずに残しておけるから先行板２，２は完全に片持ち状態にはならないからである。
そのような理由があるために、横断方向の支持梁などが存在しないにもかかわらず、しかも簡単な先行板２，２によって、既設管３の周囲の土砂の崩壊の阻止を行うことができるのである。
またもし、先行板２の一部が外側の土圧によって曲がってしまったとしても、地表に引き上げてハンマーで叩く程度で簡単に修復することができるから便利である。
【００１３】
＜７＞掘進機１の前進。
既設管３の破砕が終わったら、その距離だけオープンシールド掘進機１は掘進する。
その場合に先行板２，２が地中に挿入されたままであると、地盤が硬い場合には湾曲してしまう可能性がある。
そのような場合には先行板２のワイヤー２３を短縮し、あるいは巻き上げて先行板２，２を地中から引き抜く。
先行板２，２を引き抜いて地上に持ち上げた状態でオープンシールド掘進機１を掘進させれば、先行板２，２が変形することはない。
小さい曲線を通過する場合にも、先行板２，２を引き上げておけば、地中での抵抗はまったくないから、小さい半径の曲線を通過することができる。
もし、オープンシールド掘進機１のブレードの長さを延長した場合には、ブレードは簡単に撤去したり、継ぎ足したりすることはできないから、前記したように小さな半径の曲線を通過することは困難である。
本件発明のオープンシールド掘進機１は上記したように先行板２，２を地中に押し込み、あるいは引き上げるという作業を繰り返して、既設管３と新設管４との交換を効率よく行うことができる。
【００１４】
＜８＞埋め戻し、転圧。
オープンシールド掘進機１が前進したら、その跡にヒューム管等の新設管４を吊り下ろす。
新設管４を吊り下ろしたらその上、側面の空間に土砂を充填して埋め戻しを行い、ローラーによる転圧、舗装などを行う。かかる工程は従来の工程と同様である。
【図面の簡単な説明】
【００１５】
【図１】本発明のオープンシールド掘進機の先行板を持ち上げた状態の実施例の説明図。
【図２】先行板を圧入した状態の説明図。
【図３】先行板を昇降させる機構の実施例の説明図。
【図４】一般のオープンシールド掘進機で、既設管と新設管を交換する状態の説明図。
【符号の説明】
【００１６】
１：オープンシールド掘進機
２：先行板
３：既設管
４：新設管
２１：ピン
２２：支柱
２３：ワイヤー
【図１】
0004708119.tif 000002
【図２】
0004708119.tif 000003
【図３】
0004708119.tif 000004
【図４】
0004708119.tif 000005